(57)【要約】【課題】格安な電灯契約に対応した制御が容易に行えると共に、その電灯契約の内容が一目で分かるようにした電気機器の制御装置を提供する。【解決手段】深夜電力制度や時間帯別電灯契約制度等の各種電灯契約を利用して、機器の運転を行うもので、前記各種電灯契約の割安時間帯を予め各電灯契約毎に、複数の時間帯運転パターンとして記憶した記憶手段７と、該記憶手段７から必要とする時間帯運転パターンを読み出し、機器の運転基準として制御手段４に格納する設定手段１１とを備え、更に時間帯運転パターンを表示する表示手段１３と、該時間帯運転パターンの時間を変更する変更スイッチ１２とも備えたことで、格安な電灯契約に対応した制御が容易に行えると共に、その電灯契約の内容が一目で分かるものである。【選択図】  図２
2004159408.tif 000002
【特許請求の範囲】
【請求項１】
深夜電力制度や時間帯別電灯契約制度等の各種電灯契約を利用して、機器の運転を行うものに於いて、前記各種電灯契約の割安時間帯を予め各電灯契約毎に、複数の時間帯運転パターンとして記憶した記憶手段と、該記憶手段から必要とする時間帯運転パターンを読み出し、機器の運転基準として制御手段に格納する設定手段とを備えた事を特徴とする電気機器の制御装置。
【請求項２】
上記格納された時間帯運転パターンを表示する表示手段を備えた事を特徴とする請求項１記載の電気機器の制御装置。
【請求項３】
上記表示手段は１周を１日とし、この１周を複数に分割してトラック状とし、格安時間帯を運転可能時間として点灯又は消灯し、割高或いは通常料金時間帯を運転禁止時間として消灯又は点灯して互いに逆表示した事を特徴とする請求項２記載の電気機器の制御装置。
【請求項４】
上記格納前或いは格納後の時間帯運転パターンを、適宜読み出して表示と共に変更する変更手段を備えた事を特徴とする請求項１〜３記載の電気機器の制御装置。
【発明の詳細な説明】
【０００１】
【発明の属する技術分野】
この発明は、各電力会社で異なる格安な電気料金制度である、深夜電力制度や時間帯別電灯契約制度を利用して機器の運転を行う、電気温水器やヒートポンプ式給湯機や蓄熱暖房器具等の電気機器の制御装置に関するものである。
【０００２】
【従来の技術】
従来よりこの種のものに於いては、機器自体が自動的に深夜電力制度か、時間帯別電灯契約かを判断して、該当する電力制度に対応した運転制御を行うものであった。（例えば、特許文献１参照。）
【０００３】
【特許文献１】
特開平８−１４５４６９号公報
【０００４】
【発明が解決しようとする課題】
ところでこの従来のものでは、機器の使用状態を監視していて電灯契約を機器自体が勝手に判断するので、実際に使用者が電力会社と交わした電灯契約と一致するとは限らず、又使用者自身が１回でも使用状態を変えれば、自動的に切換られるもので、便利なようであるが、確実性に欠けると言う問題点を有し、更に各電力会社によって安くなる時間帯が相違し、多数のパターンを用意する必要があり、又この中から該当する電灯契約を選定するのは大変難しく、しかも途中で時間や料金が変更されることを考えられ、これには対応出来ないと言う大きな問題点も有するものである。
更に使用者は機器の運転は知ることが出来るが、電灯契約の内容を目で確認することは出来ず、大変不安であると共に、知らずに割高時間帯に運転させてしまう等の使用勝手の悪い点も有するものであった。
【０００５】
【課題を解決するための手段】
この発明はこの点に着目し上記問題点を解決する為、請求項１では、深夜電力制度や時間帯別電灯契約制度等の各種電灯契約を利用して、機器の運転を行うものに於いて、前記各種電灯契約の割安時間帯を予め各電灯契約毎に、複数の時間帯運転パターンとして記憶した記憶手段と、該記憶手段から必要とする時間帯運転パターンを読み出し、機器の運転基準として制御手段に格納する設定手段とを備えたものである。
【０００６】
これにより、確実に電力会社と交わした電灯契約に沿って機器を運転させる事が出来、又設定も複数の時間帯運転パターンの中から選択するやり方で、極めて容易に行われるものであり、格安の電気料金で機器を運転出来て、極めて経済的であってランニングコストを大幅に低減出来るものである。
【０００７】
又請求項２によれば、上記格納された時間帯運転パターンを表示する表示手段を備えたことで、契約した運転パターンを目でも確認することが出来、知らないで割高な時間帯での使用を確実に阻止して、お得感をアピールすることが出来るものである。
【０００８】
又請求項３によれば、上記表示手段は１周を１日とし、この１周を複数に分割してトラック状とし、格安時間帯を運転可能時間として点灯又は消灯し、割高或いは通常料金時間帯を運転禁止時間として消灯又は点灯して互いに逆表示したことで、運転可能時間と運転禁止時間とが一目で分かり、誤操作を確実に防止することが出来るものである。
【０００９】
又請求項４によれば、上記格納前或いは格納後の時間帯運転パターンを、適宜読み出して表示と共に変更する変更手段を備えたので、各電力会社で違う電力契約を全て記憶しておく必要がなく、基本の時間帯運転パターンから容易に変更出来、更に途中で時間や料金が変更されても対応が出来るものであり、しかも変更時には表示も同時に変わるので、表示を見ながら確実に変更が行われ、使用勝手が極めて良いものである。
【００１０】
【発明の実施の形態】
次にこの発明の一実施形態について図面に基づいて説明する。
１は各電力会社と電灯契約を交わして運転するヒートポンプ式給湯機等の電気機器のリモコンで、複数の操作スイッチから成る操作部２と液晶等の表示部３とで構成されている。
４は各種センサの検出値に応じて各駆動部品の運転を制御するマイコンから成る制御手段である。
【００１１】
５は操作部２に備えられた運転の開始、停止を制御する運転スイッチ、６は電力会社と交わした電灯契約に応じて機器の運転基準を設定する設定スイッチで、押圧することで運転基準設定モードに入り、記憶手段７に予め記憶された複数の時間帯運転パターンの中から一致するものをアップスイッチ８とダウンスイッチ９とで、順次表示せさて選択し、確定スイッチ１０の押圧で確定して制御手段４に格納するもので、設定スイッチ６とアップ、ダウンスイッチ８、９と確定スイッチ１０とで設定手段１１を構成するものである。
【００１２】
１２は時間帯運転パターンの時間を各電力会社に対応して変更する変更手段を構成する変更スイッチで、前記設定手段１１で一番近い時間帯運転パターンを基本としてアップ、ダウンスイッチ８、９で時間の変更を行うものである。
【００１３】
１３は時間帯運転パターンの表示手段で、１周を１日として２４分割の表示ランプをトラック状とし、格安時間帯を運転可能時間として点灯し、割高或いは通常料金時間帯を運転禁止時間として消灯して表示するものである。
【００１４】
次にこの一実施形態の作動を説明すれば、今地元の電力会社と交わした電灯契約を運転基準として制御手段４に入力させる為、設定スイッチ６を押圧すれば、運転基準設定モードと成り、アップスイッチ８を押圧する毎に図３、４、５の表示手段１３が順に表示部３に表示され、ダウンスイッチ９を押圧すればこの逆の順に表示されるものである。
【００１５】
即ち、図３は時間帯別電灯契約制度で格安な時間帯であるＰＭ１１：００〜ＡＭ７：００間のみを運転可能時間Ａ（図の斜線部分は点灯状態を示す）とする第１時間帯運転パターンであり、図４は同じく時間帯別電灯契約制度で割高な時間帯である昼間時間帯のみを運転禁止とし、他の時間であるＰＭ５：００〜ＡＭ１０：００間を運転可能時間Ａとする第２時間帯運転パターンであり、図５はＰＭ１１：００〜ＡＭ８：００を運転可能時間Ａとする第３時間帯運転パターンであり、この３通りの時間帯運転パターンを記憶手段７に予め記憶させておくものである。
【００１６】
そして、この３通りの時間帯運転パターンの中から電灯契約と一致し且つ使用者自身の生活パターンに一番合ったものを選択し、確定スイッチ１０を押圧すれば、その時間帯運転パターンが確定されて制御手段４に格納されると共に、表示部３に表示手段１３として表示される。
【００１７】
更にこの制御手段４では、お湯が足りなくなる恐れがある時を例外として、この決められた時間帯運転パターン内のみで運転するように制御するものであり、又この制御手段４は、深夜の格安な電力料金でお湯を沸かし夜までこのお湯を高温に保持する関係から、出来るだけ格安時間帯の終わり近くで沸き上げが終了するように制御するものである。
【００１８】
次に３通りの時間帯運転パターンの中に契約にした時間帯がなかったり、契約時間の変更等があった場合には、設定スイッチ６を押圧後にアップ、ダウンスイッチ８、９を押圧して、一番近い時間帯運転パターンを選択し、そして変更スイッチ１２を押圧すれば、時間変更モードと成って選択された時間帯運転パターンの設定されている時間を表示手段１３を見ながら、アップ、ダウンスイッチ８、９で変更出来、５秒間無操作で自動確定されるものである。
【００１９】
従って、電気機器を電力会社と交わした電灯契約に応じて制御出来、ランニングコストを確実に低減することが出来るものであり、又電灯契約を表示手段１３で目で見て確認出来、使用者自身の節約意識も向上してより一層高い経済効果が得られるものであり、更に時間帯運転パターンは自由に変更出来るので、新しい電灯契約や途中で内容が変わっても容易に対応出来、極めて使用勝手が良いものである。
【００２０】
【発明の効果】
以上のようにこの発明によれば、確実に電力会社と交わした電灯契約に沿って機器を運転させる事が出来、又設定も複数の時間帯パターンの中から選択するやり方で、極めて容易に行われるものであり、格安の電気料金で機器を運転出来て、極めて経済的であってランニングコストを大幅に低減出来るものである。
【００２１】
又請求項２によれば、上記格納された時間帯運転パターンを表示する表示手段を備えたことで、契約した運転パターンを目でも確認することが出来、知らないで割高な時間帯での使用を確実に阻止して、お得感をアピールすることが出来るものである。
【００２２】
又請求項３によれば、上記表示手段は１周を１日とし、この１周を複数に分割してトラック状とし、格安時間帯を運転可能時間として点灯又は消灯し、割高或いは通常料金時間帯を運転禁止時間として消灯又は点灯して互いに逆表示したことで、運転可能時間と運転禁止時間とが一目で分かり、誤操作を確実に防止することが出来るものである。
【００２３】
又請求項４によれば、上記格納前或いは格納後の時間帯運転パターンを、適宜読み出して表示と共に変更する変更手段を備えたので、各電力会社で違う電力契約を全て記憶しておく必要がなく、基本の時間帯運転パターンから容易に変更出来、更に途中で時間や料金が変更されても対応が出来るものであり、しかも変更時には表示も同時に変わるので、表示を見ながら確実に変更が行われ、使用勝手が極めて良いものである。
【図面の簡単な説明】
【図１】この発明に係る電気機器のリモコンを示す正面図。
【図２】同制御回路の要部を示すブロック図。
【図３】同表示手段の第１時間帯運転パターンを示す正面図。
【図４】同表示手段の第２時間帯運転パターンを示す正面図。
【図５】同表示手段の第３時間帯運転パターンを示す正面図。
【符号の説明】
１  リモコン
３  表示部
４  制御手段
７  記憶手段
１１  設定手段
１２  変更スイッチ（変更手段）
１３  表示手段
【図１】
2004159408.tif 000003
【図２】
2004159408.tif 000004
【図３】
2004159408.tif 000005
【図４】
2004159408.tif 000006
【図５】
2004159408.tif 000007